(57)【特許請求の範囲】
【請求項１】
表示部を有して身体に装着すべき筐体に、
複数の圧力センサを取り付けて３次元の水圧を測定する水圧測定手段と、
この３次元の水圧を加算して水圧の総量を求める水圧加算手段と、
この水圧の総量と時間との積を求める時間積分手段と、
時間積分した水圧を消費カロリーに換算する消費カロリー換算手段と、
を備えて水中運動の消費カロリーを前記表示部に表示してなる水中運動計。
【請求項２】
前記筐体を立方体として前記圧力センサをその前面と上下・左右両面に取り付けてなる請求項１記載の水中運動計。
【請求項３】
前記筐体を半球体として前記圧力センサをその前面と上下・左右両面に取り付けてなる請求項１記載の水中運動計。
【発明の詳細な説明】
【０００１】
【発明の属する技術分野】
本発明は、身体に装着して水中運動の運動量を測定する水中運動計に関する。
【０００２】
【発明が解決しようとする課題】
水中運動は、下肢や腰部への負担が軽い全身運動なので、健康の維持・増進やフィットネスなどに最適である。
そのため、幅広い年齢層に支持され、アクアビックスなどはフィットネス施設における最も人気の高いスポーツの１つになっている。
【０００３】
このような目的で水中運動を行う場合、運動量の目標を設定した方がより効果的な運動ができる。
また、そのときの運動量が分かると満足感を得ることができ、励みにもなる。
【０００４】
遊泳や水中歩行の場合、運動量の目標として距離を設定するのが一般的であるが、多くの人が混み合うフィットネス施設では、距離を目標にして自分のペースで長い距離を遊泳したり、歩行するのは困難である。
また、アクアビックスなどのように同じ位置で運動する場合、距離でなく時間を目標に設定するのが一般的であるが、同じ時間でもその内容によって運動量が大幅に異なる。
そのため、水中運動を行う際は距離や時間以外の尺度で運動量を測定する必要がある。
ところが、従来は歩数計のように水中運動を行う際の運動量の目安が簡単に分かる装置がなかった。
【０００５】
そこで本発明は、歩数計と同じように水中運動を行ったときの運動量の目安が簡単に分かる装置を提供することを目的になされたものである。
【０００６】
【課題を解決するための手段】
かかる目的を達成するために本発明は以下のように構成した。
【０００７】
すなわち、請求項１の発明は、表示部を有して身体に装着すべき筐体に、
複数の圧力センサを取り付けて３次元の水圧を測定する水圧測定手段と、
この３次元の水圧を加算して水圧の総量を求める水圧加算手段と、
この水圧の総量と時間との積を求める時間積分手段と、
時間積分した水圧を消費カロリーに換算する消費カロリー換算手段と、
を備えて水中運動の消費カロリーを前記表示部に表示してなる水中運動計である。
請求項２の発明は、前記筐体を立方体として前記圧力センサをその前面と上下・左右両面に取り付けてなる請求項１記載の水中運動計である。
請求項３の発明は、前記筐体を半球体として前記圧力センサをその前面と上下・左右両面に取り付けてなる請求項１記載の水中運動計である。
【０００８】
【発明の実施の形態】
以下に図面を参照して本発明の実施の形態について説明する。
【０００９】
図１に、本発明を実施した水中運動計の斜視図を示す。
水中運動計は、立方体の防水ケース１の前面および上下・左右両面に受圧部２を設け、後面にベルト通しを取り付けてベルト３を挿通する。
防水ケース１の上面には、受圧部２の他にＬＣＤの表示部４と制御ボタン５を設ける。
表示部４や制御ボタン５は、防水ケース１の後面に設けてもよい。
その場合、ベルト３で表示部４や制御ボタン５が塞がれないように、ベルト３の両端を防水ケース１の左右に接続する。
また、表示部４を目視するときや制御ボタン５を操作するときは、腹部に接触する後面を手で前方に傾けて露出させる。
【００１０】
制御ボタン５は、数秒のロングオンによる電源のオン・オフと計測のリセットおよびスタート／ストップを操作する。
防水ケース１は、図２〜３に示すように、形状を半球体あるいは各種の多面体にしてもよい。
【００１１】
受圧部２は、図４に示すような超小型・軽量の半導体圧力センサ６を内蔵し、取り付け面を窪ませて最深部を開口し、そこに半導体圧力センサ６の圧力ポート７の先端を臨ませる。
半導体圧力センサ６は、図５に示すように、水中運動時の体動によって生じる正圧と負圧の両方の水圧を圧力ポート７から導入して直接シリコンダイヤフラム８に受ける。
このとき、シリコンダイヤフラム８に拡散形成した歪抵抗素子９が歪んでその抵抗値が変化する。
この抵抗値の変化を電気信号に変換して水中運動時の正圧と負圧の両方の水圧を測定する。
【００１２】
図６に、本発明を実施した水中運動計のブロック図を示す。
水中運動計は、防水ケース１の前面および上下・左右両面に設けた半導体圧力センサ６の出力電圧をそれぞれアンプ１０で増幅し、それらを加算回路１１に入力して加算し、その出力電圧をＡ／Ｄ変換回路１２に入力してデジタル数値に変換し、それを入出力回路１３を介してＣＰＵ１４に入力する。
ＣＰＵ１４は、このデジタル数値を一定時間間隔で加算してメモリ１５に記憶し、計測を開始してから現在までの正圧と負圧の両方の水圧の総量を求めると同時に、それを熱力学の法則に従ってカロリー量に変換する。
カロリー量に変換した水圧の総量は、水中運動者の消費カロリーとして入出力回路１３を介して表示部４に表示する。
【００１３】
また、入出力回路１３を介して制御ボタン５のリセット信号が入力されたときは、メモリ１５をクリアして表示を０にする。
また、入出力回路１３を介して制御ボタン５のスタート信号が入力されたときは、計測を開始してメモリ１５に計測値を加算する。
また、入出力回路１３を介して制御ボタン５のストップ信号が入力されたときは、計測を停止してメモリ１５と表示をそのままの状態に保持する。
【００１４】
本発明を実施した水中運動計は以上のような構成で、水中運動の運動量を測定するときは、防水ケース１をベルト３に取り付けて腹部に装着し、制御ボタン５を押して計測をスタートさせる。
この状態で水中運動を行うと、図７に示すように、受圧部２が受ける３次元の水圧は時間とともに変化する。
この水圧は、その総量が時間積分され、消費カロリーに換算されて時間の経過とともに表示部４に表示される。
これにより、計測をスタートしてから現在までの消費カロリーを知ることができる。
【００１５】
また、任意の時点で制御ボタン５を押して計測をストップさせると、その時点の消費カロリーが表示されたままになる。
次に、制御ボタン５を押してリセットすると、表示部４の表示が０になる。
次に、制御ボタン５を押して計測を再度スタートさせると、０からカウントし直した消費カロリーが時間の経過とともに表示部４に表示される。
【００１６】
【発明の効果】
以上説明したように、本発明によれば、水中運動を行ったときの消費カロリーが表示部に表示されるので、それをバロメータにして運動量の目標が設定でき、また、目標の達成状況も把握できるようになる。
そのため、健康づくりやフィットネスを行う上での励みになり、また、目標を達成したときの満足感を得ることができる。
【図面の簡単な説明】
【図１】本発明を実施した水中運動計の斜視図である。
【図２】本発明を実施した水中運動計の変形例である。
【図３】本発明を実施した水中運動計のその他の変形例である。
【図４】半導体圧力センサの概略図である。
【図５】半導体圧力センサが圧力を測定するときの説明図である。
【図６】本発明を実施した水中運動計のブロック図である。
【図７】時間とともに変化する水圧のグラフである。
【符号の説明】
１      防水ケース
２      受圧部
３      ベルト
４      表示部
５      制御ボタン
６      半導体圧力センサ
７      圧力ポート
８      シリコンダイヤフラム
９      歪抵抗素子
１０      アンプ
１１      加算回路
１２      Ａ／Ｄ変換回路
１３      入出力回路
１４      ＣＰＵ
１５      メモリ
【図１】
0003773468.tif 000002
【図２】
0003773468.tif 000003
【図３】
0003773468.tif 000004
【図４】
0003773468.tif 000005
【図５】
0003773468.tif 000006
【図６】
0003773468.tif 000007
【図７】
0003773468.tif 000008